(57)【要約】【課題】顔料インクを用い、境界領域同士をオーバーラップさせて隣接する記録領域を記録する場合の光沢むらの発生を低減する。【解決手段】オーバーラップ部分の記録について、それに関与する吐出口列間の関係において、画定された境界をもってつなぎ処理を適用するものと、補完的なインク打ち込み率をもってぼかしをつけながらつなぎ処理を適用するものとを併用する。そして前者によって非オーバーラップ部分に対する実効的なパス数の違いを少なくとどめることで光沢むらが緩和され、かつ後者によってすじ状画像欠陥が低減される。【選択図】図８
2008143034.tif 000002
【特許請求の範囲】
【請求項１】
インクを吐出して記録媒体に対し記録を行うための吐出口を配列してなる吐出口列が２つ以上並列に設けられた吐出部を複数、前記吐出口列の複数の吐出口を含む端部領域が前記配列の方向と異なる前記記録媒体の搬送方向において前記吐出部間で重なるように配置して記録を行うインクジェット記録装置であって、
前記端部領域が重なることで記録される記録領域のつなぎ部分上の位置では、前記端部領域が重なる関係にある前記吐出部間の一組の吐出口列のうち、一方の吐出口列の端部領域に含まれる吐出口のみから選択的にインク吐出が行われるようにしてつなぎ処理を行う第１手段と、
前記つなぎ部分では、前記端部領域が重なる関係にある前記吐出部間の他の組の吐出口列に含まれる前記複数の吐出口に対しインク打ち込み率を変化させた補完的なインク吐出が行われるようにしてつなぎ処理を行う第２手段と、
を具えたことを特徴とするインクジェット記録装置。
【請求項２】
前記第１手段のつなぎ処理が適用される吐出口列は、前記搬送方向上、前記吐出部の最上流側に位置するものであることを特徴とする請求項１に記載のインクジェット記録装置。
【請求項３】
前記第１手段のつなぎ処理が適用される吐出口列は、前記搬送方向上、前記吐出部の最下流側に位置するものであることを特徴とする請求項１に記載のインクジェット記録装置。
【請求項４】
前記吐出口列は３列以上設けられ、前記第１手段のつなぎ処理が適用される吐出口列は、前記搬送方向上、第１手段の制御対象となる吐出口列は吐出部内で最上流側および最下流側に位置するものであることを特徴とする請求項１に記載のインクジェット記録装置。
【請求項５】
インクを吐出して記録媒体に対し記録を行うための吐出口を配列してなる吐出口列が２つ以上並列に設けられた吐出部を複数、前記吐出口列の複数の吐出口を含む端部領域が前記配列の方向と異なる前記記録媒体の搬送方向において前記吐出部間で重なるように配置して記録を行うインクジェット記録方法であって、
前記端部領域が重なることで記録される記録領域のつなぎ部分上の位置では、前記端部領域が重なる関係にある前記吐出部間の一組の吐出口列のうち、一方の吐出口列の端部領域に含まれる吐出口のみから選択的にインク吐出が行われるようにしてつなぎ処理を行うとともに、
前記つなぎ部分では、前記端部領域が重なる関係にある前記吐出部間の他の組の吐出口列に含まれる前記複数の吐出口に対しインク打ち込み率を変化させた補完的なインク吐出が行われるようにしてつなぎ処理を行う、
ことを特徴とするインクジェット記録方法。
【請求項６】
インクを吐出して記録媒体に対し記録を行うための吐出口を配列してなる吐出口列を並列に２列以上配置したインクジェットヘッドを用い、該インクジェットヘッドの前記配列の方向とは異なる方向への主走査と、当該主走査方向と直交する方向への前記記録媒体の副走査とを繰り返すとともに、前記副走査の量を前記吐出口の配列の範囲未満とすることで、前記主走査により記録されるバンドの端部同士をオーバーラップさせたつなぎ部分が生じるように記録を行うインクジェット記録装置であって、
前記複数の吐出口列のいずれかの吐出口列については、前記つなぎ部分上の位置で、当該つなぎ部分の記録に関与する２回の主走査のうちのいずれかの主走査でのみ選択的にインク吐出が行われるようにしてつなぎ処理を行う第１手段と、
前記複数の吐出口列の他の吐出口列については、前記つなぎ部分で、当該オーバーラップ部分の記録に関与する２回の主走査でインク打ち込み率を変化させた補完的なインク吐出が行われるようにしてつなぎ処理を行う第２手段と、
を具えたことを特徴とするインクジェット記録装置。
【請求項７】
前記第１手段のつなぎ処理が適用される吐出口列は、前記複数も受けられた吐出口のうち、前記主走査方向上の最も外側に位置するものであることを特徴とする請求項６に記載のインクジェット記録装置。
【請求項８】
インクを吐出して記録媒体に対し記録を行うための吐出口を配列してなる吐出口列を並列に２列以上配置したインクジェットヘッドを用い、該インクジェットヘッドの前記配列の方向とは異なる方向への主走査と、当該主走査方向と直交する方向への前記記録媒体の副走査とを繰り返すとともに、前記副走査の量を前記吐出口の配列の範囲未満とすることで、前記主走査により記録されるバンドの端部同士をオーバーラップさせたつなぎ部分が生じるように記録を行うインクジェット記録方法であって、
前記複数の吐出口列のいずれかの吐出口列については、前記つなぎ部分上の位置で、当該つなぎ部分の記録に関与する２回の主走査のうちのいずれかの主走査でのみ選択的にインク吐出が行われるようにしてつなぎ処理を行うとともに、
前記複数の吐出口列の他の吐出口列については、前記つなぎ部分で、当該つなぎ部分の記録に関与する２回の主走査でインク打ち込み率を変化させた補完的なインク吐出が行われるようにしてつなぎ処理を行う、
ことを特徴とするインクジェット記録方法。
【発明の詳細な説明】
【技術分野】
【０００１】
本発明は、インクジェット記録装置およびインクジェット記録方法に関する。特に本発明は、隣接する記録領域の境界部分同士をオーバーラップさせる（つなぎ記録を行う）場合に生じる画像弊害を軽減する技術に関するものである。
【背景技術】
【０００２】
インクジェット記録における上記つなぎ記録は、次のような目的で行われる。
【０００３】
例えば、記録媒体の搬送方向と直交する方向に多数のインク吐出口を配列してなる所謂フルマルチタイプのプリントヘッドを用いるラインプリンタは、画像形成の高速化が可能である。かかるフルマルチタイプのプリントヘッドでは、インク吐出口、これに連通する液路、および吐出に利用されるエネルギの発生する素子（以下これらをノズルと総称することもある）を、記録媒体全幅など広範囲に亘って欠陥なく設ける加工を行うのが困難である。そのためフルマルチタイプのインクジェットヘッドとしては、比較的加工が容易で廉価な短尺のヘッドチップを複数個配列することにより、所望の長さを満たすよう長尺化したものが用いられている。
【０００４】
しかしながら、かかる構成では、隣接する記録領域の記録に関与するヘッドチップ同士のつなぎ部分で副走査方向に沿った「白すじ」と称される画像欠陥が生じやすい。これは、所謂「端よれ」に起因して発生する。端よれとは、記録デューティの高い画像を高速で記録した場合に、ヘッドチップ端部側に位置する吐出口からのインク吐出方向が、ヘッドチップと記録媒体との間に生じる気流の影響により、そのヘッドチップ内の吐出口配列の内側に向かって偏向する現象である。このためヘッドチップをいかに精度高く配置しても、またヘッドチップ端部同士が重なるようにし、当該重なり部分においてヘッドチップ間の使用吐出口範囲の端をそろえるようにしても、ヘッドチップ間に相当する隣接記録領域の境界部分に白すじが発生し得る。そのほか、隣接記録領域の境界部分には、製造上のばらつきに起因してヘッドチップ間で吐出量が異なっていたり、インク吐出速度が異なっているために記録媒体上に到達するインクの着弾時間が異なっていたりする場合にも、すじ状の画像欠陥が生じ得る。
【０００５】
そこで、例えば特許文献１に記載されたように、端部同士が副走査方向上で重なるようにヘッドチップを配置するとともに、つなぎ部分でのヘッドチップの記録密度を適切に定めることで、すじ状の画像欠陥を軽減することができる。
【０００６】
また、上述したすじ状の画像欠陥は、インク吐出口を配列してなる記録ヘッドのインク吐出口配列方向とは異なる方向への主走査と、記録媒体の搬送（副走査）とを交互に繰り返すことで記録を行ういわゆるシリアルプリンタにおいても生じる。すなわち、上述した「端よれ」によって１回の主走査での記録領域（バンド）の幅が狭くなったり、副走査量が過大であったりした場合には、主走査方向に沿ったバンド境界部分に記録が行われない部分が生じるからである。そのために、副走査量をインク吐出口配列範囲未満の量とすることで、バンド端部同士がオーバーラップするようにすることが有効である。
【０００７】
【特許文献１】特開平５−５７９６５号公報
【発明の開示】
【発明が解決しようとする課題】
【０００８】
特許文献１に開示されたような技術を適用することで、大きな白すじの発生が軽減される。しかし本発明者らは、つなぎ部分では画像の光沢度が非つなぎ部分に比して低くなり、これに起因して画像弊害が生じることを見出した。すなわち、光沢度の低い部分は、ラインプリンタでは副走査方向に延在し、シリアルプリンタでは主走査方向に延在するすじとなって現れ、光沢むらとして認識されてしまうからである。そして本発明者らは、かかる光沢むらは、顔料系インクを用い、光沢紙などの記録媒体に記録を行う場合に顕著に認識されることを見出した。本来、光沢紙は、ユーザが高画質記録を望む場合に選択されるものであるにも拘らず、そのような画像弊害が生じるのではユーザの希望に沿えず、高級紙を用いる意味が滅却されてしまうので大きな問題である。
【０００９】
よって本発明は、境界領域同士をオーバーラップさせて隣接する記録領域を記録する場合の光沢むらの発生を低減することを目的とする。
【課題を解決するための手段】
【００１０】
そのために、本発明は、インクを吐出して記録媒体に対し記録を行うための吐出口を配列してなる吐出口列が２つ以上並列に設けられた吐出部を複数、前記吐出口列の複数の吐出口を含む端部領域が前記配列の方向と異なる前記記録媒体の搬送方向において前記吐出部間で重なるように配置して記録を行うインクジェット記録装置であって、
前記端部領域が重なることで記録される記録領域のつなぎ部分上の位置では、前記端部領域が重なる関係にある前記吐出部間の一組の吐出口列のうち、一方の吐出口列の端部領域に含まれる吐出口のみから選択的にインク吐出が行われるようにしてつなぎ処理を行う第１手段と、
前記つなぎ部分では、前記端部領域が重なる関係にある前記吐出部間の他の組の吐出口列に含まれる前記複数の吐出口に対しインク打ち込み率を変化させた補完的なインク吐出が行われるようにしてつなぎ処理を行う第２手段と、
を具えたことを特徴とする。
【００１１】
また、本発明は、インクを吐出して記録媒体に対し記録を行うための吐出口を配列してなる吐出口列が２つ以上並列に設けられた吐出部を複数、前記吐出口列の複数の吐出口を含む端部領域が前記配列の方向と異なる前記記録媒体の搬送方向において前記吐出部間で重なるように配置して記録を行うインクジェット記録方法であって、
前記端部領域が重なることで記録される記録領域のつなぎ部分上の位置では、前記端部領域が重なる関係にある前記吐出部間の一組の吐出口列のうち、一方の吐出口列の端部領域に含まれる吐出口のみから選択的にインク吐出が行われるようにしてつなぎ処理を行うとともに、
前記つなぎ部分では、前記端部領域が重なる関係にある前記吐出部間の他の組の吐出口列に含まれる前記複数の吐出口に対しインク打ち込み率を変化させた補完的なインク吐出が行われるようにしてつなぎ処理を行う、
ことを特徴とする。
【００１２】
さらに、本発明は、インクを吐出して記録媒体に対し記録を行うための吐出口を配列してなる吐出口列を並列に２列以上配置したインクジェットヘッドを用い、該インクジェットヘッドの前記配列の方向とは異なる方向への主走査と、当該主走査方向と直交する方向への前記記録媒体の副走査とを繰り返すとともに、前記副走査の量を前記吐出口の配列の範囲未満とすることで、前記主走査により記録されるバンドの端部同士をオーバーラップさせたつなぎ部分が生じるように記録を行うインクジェット記録装置であって、
前記複数の吐出口列のいずれかの吐出口列については、前記つなぎ部分上の位置で、当該つなぎ部分の記録に関与する２回の主走査のうちのいずれかの主走査でのみ選択的にインク吐出が行われるようにしてつなぎ処理を行う第１手段と、
前記複数の吐出口列の他の吐出口列については、前記つなぎ部分で、当該オーバーラップ部分の記録に関与する２回の主走査でインク打ち込み率を変化させた補完的なインク吐出が行われるようにしてつなぎ処理を行う第２手段と、
を具えたことを特徴とする。
【００１３】
加えて、本発明は、インクを吐出して記録媒体に対し記録を行うための吐出口を配列してなる吐出口列を並列に２列以上有したインクジェットヘッドを用い、該インクジェットヘッドの前記配列の方向とは異なる方向への主走査と、当該主走査方向と直交する方向への前記記録媒体の副走査とを繰り返すとともに、前記副走査の量を前記吐出口の配列の範囲未満とすることで、前記主走査により記録されるバンドの端部同士をオーバーラップさせたつなぎ部分が生じるように記録を行うインクジェット記録方法であって、
前記複数の吐出口列のいずれかの吐出口列については、前記つなぎ部分上の位置で、当該つなぎ部分の記録に関与する２回の主走査のうちのいずれかの主走査でのみ選択的にインク吐出が行われるようにしてつなぎ処理を行とともに、
前記複数の吐出口列の他の吐出口列については、前記つなぎ部分で、当該つなぎ部分の記録に関与する２回の主走査でインク打ち込み率を変化させた補完的なインク吐出が行われるようにしてつなぎ処理を行う、
ことを特徴とする。
【発明の効果】
【００１４】
本発明では、オーバーラップ部分（つなぎ部分）の記録について、それに関与する吐出口列間の関係において、画定された境界をもってつなぎ処理を適用するものと、補完的なインク打ち込み率をもってぼかしをつけながらつなぎ処理を適用するものとを併用する。そして前者によって非つなぎ部分に対する実効的なパス数の違いを少なくとどめることで光沢むらが緩和され、かつ後者によってすじ状画像欠陥が低減される。
【発明を実施するための最良の形態】
【００１５】
以下、図面を参照して本発明を詳細に説明する。  
（第１の実施形態）
図１は、本発明の第１実施形態に係るインクジェット記録装置の概略構成を示す模式的斜視図である。また、図２はこの記録装置に適用されるインクジェットヘッドを吐出口側から見た模式図である。
【００１６】
本実施形態のインクジェット記録装置は、記録媒体Ｐの搬送方向Ｙ（副走査方向）と交差する方向Ｘ（主走査方向）に延在する長尺なインクジェットヘッド１１Ｋ、１１Ｃ、１１Ｍおよび１１Ｙを用いる。インクジェットヘッド１１Ｋ、１１Ｃ、１１Ｍおよび１１Ｙは、それぞれ、ブラック、シアン、マゼンタおよびイエローの各色インクに対応しており、図１のインクジェット記録装置はフルカラー記録が可能なものである。インクジェットヘッド１１Ｋ、１１Ｃ、１１Ｍおよび１１Ｙは、ブラックインク、シアンインク、マゼンタインクおよびイエローインクをそれぞれ貯留した不図示のインクタンクから、接続配管を介してインク供給を受ける。なお以下では、インクジェットヘッド１１Ｋ、１１Ｃ、１１Ｍおよび１１Ｙは、色を特定しない場合には符号１１で総括的に参照される。
【００１７】
インクジェットヘッド１１は、図２に示すように、それぞれ主走査方向の所定範囲にわたって吐出口が配列された吐出口列が４つ設けられた吐出部としてのヘッドチップ１１Ａ，１１Ｂ等を具える。ヘッドチップ１１Ａ，１１Ｂ等は主走査方向Ｘおよび副走査方向Ｙに広がりをもって千鳥状に配置され、隣接する領域の記録に関与するヘッドチップ同士（例えばチップ１１Ａおよび１１Ｂ）はその端部同士（端部領域Ｅ）が副走査方向Ｙにおいて重なっている。
【００１８】
インクジェットヘッド１１は、制御装置１２によって作動が制御されるヘッド移動手段１６により、図１の上下方向に昇降し得るようになっている。また、インクジェットヘッド１１の側方には、記録媒体Ｐに対する記録動作に先立ち、各吐出口に連通するインク流路内に存在する増粘インクなどを吐出口から排出させる回復処理を行うためのヘッドキャップ１７が配置されている。すなわち回復処理時には、インクジェットヘッド１１を記録媒体との対向位置から上昇させる。その後、制御装置１２によって作動が制御されるキャップ移動手段１８によりキャップ１７をインクジェットヘッド１１の直下に移動させ、インク吐出口から排出される廃インクを受けることができるようになっている。
【００１９】
記録媒体Ｐを搬送する搬送用ベルト１４は、ベルト駆動モータ１９に連結された駆動ローラに架け渡され、制御装置１２に接続されるモータドライバ２１によってその作動が切り替えられる。また、搬送用ベルト１４の上流側には、付加的な構成として、搬送用ベルト１４を帯電させることにより、記録媒体Ｐを搬送用ベルト１４に密着させるための帯電器２２を設けることができる。この帯電器２２は制御装置１２に接続される帯電器ドライバ２３によって、その通電のオン／オフが切り換えられる。搬送用ベルト１４の上に記録媒体Ｐを供給するための一対の送給ローラ２４には、これらを駆動回転させるための送給用モータ２５が連結される。この送給用モータ２５は、制御装置１２に接続されるモータドライバ２６によって作動が切り換えられる。従って、記録媒体Ｐに対する記録動作を行う場合には、帯電器２２を作動させると同時に搬送用ベルト１４を駆動し、さらに送給ローラ２４によって記録媒体Ｐを搬送用ベルト１４上に載置させる。そして、搬送用ベルト１４によってＹ方向に搬送される記録媒体Ｐに対し、インクジェットヘッド１１によってカラー画像が記録される。なお、１３はヘッドドライバであり、インク吐出に利用されるエネルギを発生する素子（例えばインクに膜沸騰を生じさせる発熱素子の駆動を制御する。
【００２０】
図３は本実施形態に係るインクジェット記録装置の制御系の主要部の構成例を示す。図において、８０１はシステム全体の制御を司るＣＰＵであり、図１の制御装置１２に対応する。８０２はＣＰＵ８０１が実行するシステム制御用のプログラムその他の固定データが書き込まれたＲＯＭである。８０３は記録媒体を搬送する搬送部であり、ベルト駆動モータ１９およびモータドライバ２１や、送給用モータ２５およびモータドライバ２６などが含まれる。８０４はヘッドの回復処理を行う吐出回復部であり、ヘッドキャップ１７およびキャップ移動手段１８を含む。８０５はヘッド移動部であり、インクジェットヘッドを搭載して所要の移動を行わせるためのキャリアおよびヘッド移動手段１６を含む。
【００２１】
８０７はインクジェットヘッド１１の発熱素子の駆動制御を行う駆動回路であり、ヘッドドライバ２２に対応する。８０８は記録する画像情報を吐出データに変換する量子化回路であり、ハーフトーニング処理などを行う。８０９は記録する画像（例えばコンピュータなど不図示のホスト装置から受容したもの）がカラー画像である場合に、インクジェットヘッド１１のインク色に合わせて色分解する画像処理部である。
【００２２】
８１０は、ヘッドチップないしインクジェットヘッドに合わせて、吐出動作を行うための使用ノズルないし吐出口を選択する回路である。この使用ノズル選択回路８１０は、ヘッドチップに設けられたノズル群から使用するノズルを適切に決定し、その使用ノズルに対して所要の記録データが駆動回路８０７に転送されるようにする機能を果たすものである。より具体的には、つなぎ部分に対応するヘッドチップ端部領域Ｅにあるノズル群を次のような基準に従ってマスキングすることが可能なものであり、特許請求の範囲にいう第１および第２手段の機能を果たすものである。
【００２３】
図４および図５を用い、ヘッドチップ端部領域Ｅにあるノズル群の使用態様を説明する。なお、これらの図においては、簡略化のために、２つのヘッドチップ１１Ａおよび１１Ｂにおける各１つの吐出口列２０Ａおよび２０Ｂの関係を示している（図の左側部分）。また、吐出口数についても簡略化して示されている。また図の右側部分には、吐出口列についてのインク打ち込み率が示されている。
【００２４】
なお、インク打ち込み率とは、ある１つまたは連続する複数ノズルに関して吐出動作（駆動）が許容される割合であり、その補数が画像データの間引き率となるものであって、これらは使用ノズル選択回路８１０によるマスキングにより設定される。ヘッドチップ１１Ａおよび１１Ｂの端部領域Ｅにあるノズル同士の関係で言えば、基本的には前者側の１または数ノズルのインク打ち込み率と、後者側の対応する１または数ノズルのインク打ち込み率との合計が１００％となるように設定される。
【００２５】
図４は、つなぎ部分に関し、画定された境界をもって、一組のヘッドチップ１１Ａおよび１１Ｂの端部の吐出口群による記録領域がつながれる処理を行う場合を示している。以下では、この処理を「境界つなぎ処理」と称するが、これが特許請求の範囲にいう第１手段が実行するつなぎ処理に対応する。これに対し図５は、つなぎ部分に関し、ヘッドチップ１１Ａおよび１１Ｂの端部の吐出口群におけるインク打ち込み率を徐々に変化させることで、つなぎ部分にぼかし（グラデーション）をつけながら記録領域がつながれる処理を行う場合を示す。以下では、この処理を「グラデーションつなぎ処理」と称する、これが特許請求の範囲にいう第２手段が実行するつなぎ処理に対応する。
【００２６】
境界つなぎ処理では、ヘッドチップ１１Ａおよび１１Ｂの一方の端部領域Ｅに対し、インク打ち込み率が１００％から０％となる位置が定められ、これに対応して、他方の端部領域Ｅに対し、インク打ち込み率が０％から１００％となる位置が定められる。図４の例では、つなぎ部分は、一方のヘッドチップの端部領域においてインク打ち込み率が１００％から０％となる位置と、他方のヘッドチップの端部領域においてインク打ち込み率が０％から１００％となる位置とでつながれている。
【００２７】
しかし、一方のヘッドチップの端部領域においてインク打ち込み率が１００％から０％となる位置と、他方のヘッドチップの端部領域においてインク打ち込み率が０％から１００％となる位置との設定には自由度がある（以下、これらを切換え位置という）。すなわち、双方の切換え位置が各１つであり、かつ双方の切換え位置が副走査方向において一致していることは必須の要件ではなく、またそれらの位置は適宜定め得るものである。要は、つなぎ部分上の位置ではいずれか一方のヘッドチップの端部領域に含まれるノズルないし吐出口によって選択的に記録が行われればよいのであって、例えば櫛歯のように２つのヘッドチップの端部領域のノズルを交互に使用することも可能である。また、上述した端よれや、製造上のばらつき、あるいは機械的変動などによって、つなぎ部分に白すじの原因となる空白部分や、逆に濃度の高い部分が生じるのであれば、双方のヘッドチップにおける切換え位置を適宜ずらすことも可能である。
【００２８】
以上に対し、グラデーションつなぎとは、双方のヘッドチップの端部領域においてインク打ち込み率を除々に変化させ、互いに補完させる態様にてつなぎ部分を形成することをいう。図５の例では、ヘッドチップ１１Ａの端部領域Ｅでは最端部に向けてインク打ち込み率を線形に漸減させ、ヘッドチップ１１Ｂの端部領域Ｅでは最端部からインク打ち込み率を線形に漸増させる処理を行っている。そして、つなぎ部分では補完により合計１００％のインク打ち込み率が得られるようにしている。しかしつなぎ部分における極端な濃度変化によるすじの発生を有効に軽減し得るのであれば、インク打ち込み率を必ずしも線形に変化させるものでなくてもよい。また、つなぎ部分の全体または一部で、合計１００％を超えるインク打ち込み率が設定されてもよい。
【００２９】
かかるグラデーションつなぎ処理は、上述した端よれや、製造上のばらつき、あるいは機械的変動などに起因したつなぎ部分における画像欠陥を緩和する上で有効なものとして認識されていた。しかし本発明者らは、顔料系インクを用い、グラデーションつなぎ処理のみを適用した記録を行う場合に光沢むらが表れ、さらに光沢紙などの記録媒体に記録を行う場合にこれが顕著となることを見出した。
【００３０】
これに対し、本発明者らは次のように考察した。すなわち、グラデーションつなぎ処理では、ヘッドチップ１１Ａおよび１１Ｂの端部領域Ｅによって２回の記録が行われることになる。顔料インクを用いた場合、色材成分が記録媒体表面に多く残り、また、先に形成されたドット上に後に形成されたドットが、部分的であっても重なる状態で定着する。従って、インク打ち込み率がそれぞれ補完的に規定された各ヘッドチップ端部領域によってつなぎ部分を記録すると、はじめからインク打ち込み率が１００％とされた非つなぎ部分との間で凹凸の程度の差が生じる。そして、これが両部分間の光沢差として認識されると考察したのである。
【００３１】
そして本発明者らは、次のような検証を行った。
【００３２】
つなぎ部分に関しては、記録媒体はヘッドチップ端部領域との対向部分を２回通過する。これは、複数パスによる記録が行われることに相当する。そこで本発明者らは、シリアル型のインクジェット記録装置で行われるマルチパス記録について、パス数と光沢との関係について実験した。なおマルチパス記録とは、記録ヘッドに配列された複数のノズルをＮ個のブロックに分割し、各ブロックのノズル群にて記録できる幅に対応する量の副走査を行い、同一画像領域に対してＮ回の主走査を行うことで当該領域の画像を完成させる記録方式である。
【００３３】
実験では、顔料インクを用い、光沢紙に対し、複数のパス数にて、濃度（エリアファクタ）の異なるパッチをいくつか記録し、それぞれの光沢を測定した。詳しい実験条件は次のとおりである。
インク：キヤノン社製顔料インク「Ｐｇインク（商品名：ＢＣＩ１４２１）」
記録媒体：三菱製紙社製光沢紙「IJ-RC-UF120」
パッチ：エリアファクタを２０％から２００％まで段階的に変化させたパッチ１〜６
記録パス数：１パスと８パスの２種類
光沢の測定器：BYK Gardner社製マイクロヘイズメーター
【００３４】
図６および図７は記録パス数に対応してパッチの光沢を測定した実験結果を示すグラフである。図６の縦軸はグロスであり、パッチに対して一定の角度（実験では２０°）で光を照射し、その入射角度と等しい反射角度の方向にどれだけ反射したかを測定したもの、すなわち正反射成分の光沢度を表している。また、図７の縦軸はヘイズであり、正反射角度から一定角度（実験では１．８°）ずれた方向で測定した光沢度であって、所謂「ボケ」を表している。
【００３５】
これらの図から明らかなように、様々な濃度領域にわたって、一般に１パスで記録された画像の方が８パスで記録された画像よりも、グロスが高くかつヘイズが低い、すなわち光沢感が高いという結果が得られた。つまり、パス数が多いほど光沢感が低下して行くことが確認されたのである。また本発明者らは、種々の顔料インクおよび光沢紙に対しても同様な実験を繰り返し行ったが、いずれの場合でも図６および図７とほぼ同様の傾向が見られることを確認した。
【００３６】
このように画像形成のパス数によって光沢感が異なるということは、ヘッドチップ１１Ａおよび１１Ｂの２つの端部領域Ｅによって記録が行われるつなぎ部分は、非つなぎ部分よりも光沢が低下することにほかならない。すなわち、つなぎ部分と非つなぎ部分とで光沢が異なってしまうために、記録画像全体として光沢むらが目立つことになる。
【００３７】
本発明では、つなぎ部分におけるすじ状の画像欠陥と光沢むらとを共に低減する。そのために、ヘッドチップ間でつなぎ部分の記録に関与する吐出口列の組を複数設け、その複数の組について境界つなぎ処理を適用するものとグラデーションつなぎ処理を適用するものとを設定する。すなわち本発明は、境界つなぎ処理とグラデーションつなぎ処理とを併用し、前者によって非つなぎ部分に対する実効的なパス数の違いを少なくとどめて光沢むらを緩和し、かつ後者によってすじ状画像欠陥の低減も図るものである。
【００３８】
そこで、本発明では、つなぎ部分の記録に関与する複数の吐出口列の組について、
・先に記録動作を行うもの、すなわち記録媒体搬送方向上流側にある組に境界つなぎ処理を適用し、平坦な表面を確保してから、他の組にグラデーションつなぎ処理を適用することで光沢むらを緩和すること、もしくは、
・先に記録動作を行う組にグラデーションつなぎ処理を適用し、後に記録動作を行うもの、すなわち記録媒体搬送方向下流側にある組に境界つなぎ処理を適用し、凹凸を極力ならすことで、光沢むらを緩和すること
を基本的な構成とする。
【００３９】
しかしそのような処理を行う際、ヘッドチップ毎に複数（本実施形態では４列）ある吐出口列のどれに境界つなぎ処理を適用するかによっても光沢むらの程度が変わってくることを、本発明者らは種々の実験を通じて確認した。そして、つなぎ部分において光沢感を向上させるためには、極力凹凸のない膜状にインクを堆積させていくことであり、特に初期状態の凹凸を少なくすることと、最後に多くのインクを平坦に堆積させることが光沢むらの低減に有効であることを確認した。
【００４０】
図８は、図２に示したインクジェットヘッドの構成において、かかる基準を適用した場合の説明図である。この図に示すように、最先に記録動作を行う記録媒体搬送方向最上流側にある吐出口列１１Ａ−１および１１Ｂ−１の組と、最後に記録動作を行う記録媒体搬送方向最下流側にある吐出口列１１Ａ−４および１１Ｂ−４の組とを制御対象として、境界つなぎ処理を適用している。また、それらの間にある吐出口列１１Ａ−２および１１Ｂ−２の組と、吐出口列１１Ａ−３および１１Ｂ−３の組とに、グラデーションつなぎ処理を適用している。
【００４１】
なお、複数の吐出口列の組について、境界つなぎ処理を適用するものとグラデーションつなぎ処理を適用するものとを設定するという基本的な思想に対しては、各ヘッドチップに２以上の吐出口列が設けられていればよい。また、最先に記録動作を行う吐出口列の組と最後に記録動作を行う吐出口列の組とに境界つなぎ処理を適用し、それらの間にある吐出口列の組にグラデーションつなぎ処理を適用する構成に関しては、各ヘッドチップに３列以上の吐出口列が設けられていればよい。
【００４２】
また、境界つなぎ処理およびグラデーションつなぎ処理を併用するインクジェットヘッドの構成は、図１に示した複数色のインクジェットヘッドのいずれにも適用可能なものであり、また必要なものに対してのみ適用されるものでもよい。
【００４３】
これらのことは次に述べる実施形態においても同様である。
【００４４】
（第２の実施形態）
上例では記録媒体の幅に対応した範囲にわたって吐出口ないしヘッドチップが配置されるラインプリンタに本発明を適用した場合について述べた。しかし、吐出口の配列方向と異なる方向への主走査と、これに直交する方向への記録媒体の相対搬送（副走査）とを繰り返すことにより記録動作を行うシリアルタイプのインクジェット記録装置に対しても本発明は有効に適用できるものである。すなわち、シリアルタイプのインクジェット記録装置では、ある主走査によって記録される記録領域（バンド）と、副走査後に次の主走査によって記録される記録領域（バンド）とのつなぎ部分において、画像弊害が生じ得るからである。
【００４５】
図９は、本発明を適用可能なインクジェット記録装置として、シリアルタイプのものの概略を示す斜視図である。キャリッジ１０１は、ブラック、シアン、マゼンタおよびイエローの各色インクにそれぞれ対応したインクジェットヘッド１１１Ｋ、１１１Ｃ、１１１Ｍおよび１１１Ｙを搭載し、主走査方向Ｘに延在するガイド軸１０４、１０５に沿って往復移動可能である。なお、インクジェットヘッド１１１Ｋ、１１１Ｃ、１１１Ｍおよび１１１Ｙは、特定しない場合には符号１１１で総括的に参照される。
【００４６】
記録媒体Ｐは、記録装置前面側から矢印Ｙ１方向に送給され、搬送ローラ１０９によって搬送方向がＹ方向に反転されて、インクジェットヘッド１１１による往復走査領域に対して副走査される。また、インクジェットヘッド１１１に対向する領域では、プラテン１０８によりその非記録面が平坦に規制されている。
【００４７】
インクジェットヘッド１１１は、複数の吐出口を所定方向（例えば副走査方向であるＹ方向）に配列してなる吐出口列を、主走査方向Ｘに複数併置してなる構成を有する。そして、キャリッジ１０１の主走査に伴って記録可能領域を移動し、画像データに従って、必要なインク吐出動作を行うことで１バンドが記録される。かかる主走査の後には、搬送ローラ１０９によって記録媒体Ｐが搬送（副走査）され、再び主走査を行うことで次のバンドが記録される。
【００４８】
かかる機械的構成を有するインクジェット記録装置に対しても、図３とほぼ同様の制御系を適用可能であり、インクジェットヘッドを主走査するための機構を付加すればよい。
【００４９】
ここで、各吐出口列におけるＹ方向の吐出口配列範囲すなわちバンド幅に相当する副走査を行うと、搬送むらや端よれ等に起因した白すじが発生し得る。従って、副走査量をバンド幅未満とし、隣り合うバンドの端部がオーバーラップするようにして記録が行われる。すなわち、つなぎ部分では、吐出口配列の下端部側に位置する吐出口群と、吐出口配列の上端部側に位置する吐出口群とが記録に関与するようにする。そして本発明では、それらの吐出口群間について、上述と同様の基準を適用し、境界つなぎ処理およびグラデーションつなぎ処理を併用することで、すじ状画像欠陥および光沢むらの低減を図ることができる。
【００５０】
図１０はその一例の説明図である。この例では、最も外側にある２つの吐出口列１１１−１および１１１−４に対し、境界つなぎ処理を行うためのインク打ち込み率が適用される。また、それらの間にある吐出口列１１１−２および１１１−３に対しては、グラデーションつなぎ処理を行うためのインク打ち込み率が適用される。これにより、つなぎ部分は、ある主走査Ｓ１と次の主走査Ｓ２とで、空白が生じず、かつかつ極力凹凸のない膜状かつにインクを堆積させることが可能となり、すじ状画像欠陥および光沢むらが低減される。
【００５１】
なお、図１０の例では、往方向の主走査と復方向の主走査とで画像記録を行う、すなわち双方向記録を行う場合を例示しているが、往復いずれかの主走査時にのみ記録を行うものであってもよいことは勿論である。
【００５２】
また、上例では、バンド間をオーバーラップさせない非つなぎ部分では１回の主走査で画像が記録されるものとしたが、複数回の主走査による記録（マルチパス記録）を行う場合にも適用できることは勿論である。マルチパス記録であっても、搬送むらやその他端よれに起因してすじ状のむらが生じ得るので、これを軽減するべく通常のマルチパス記録時の搬送量（例えば２パス記録であればバンド幅の１／２）より搬送量を小さくしてつなぎ処理を行うことがある。
【００５３】
この場合、例えば図１１から明らかなように、つなぎ処理が適用される部分は非つなぎ部分より多い実効的なパス数をもって記録が行われることになるからである。図１１の例では、つなぎ部分は３パス、非つなぎ部分は２パスの記録が行われることになる。
【００５４】
（その他）
なお、以上では、インク吐出に利用されるエネルギとして熱エネルギを発生する素子（ヒータ）用いる方式のインクジェットヘッドについて説明した。しかしその他の方式、例えば圧電素子を使用して機械的エネルギにより吐出を行う方式によるインクジェットヘッドに対しても本発明を適用できることは言うまでもない。
【００５５】
また、上例ではシアン、マゼンタ、イエローおよびブラックの４色に対応したヘッドチップないしインクジェットヘッドを用いる構成について例示したが、インクの種類ないし色調（色，濃度）はそれに限られないのは勿論である。すなわち、濃度の低い淡マゼンタや淡シアン、あるいはレッド、グリーンおよびブルーなどの特色インクを用いる構成であってもよい。
【００５６】
さらに、上記実施形態では、つなぎ部分と非つなぎ部分に対する特徴的な画像処理をインクジェット記録装置の画像処理部８０９にて行う形態として説明した。しかし、この特徴的な画像処理は、インクジェット記録装置と接続される外部機器（例えば、ホストコンピュータ）において実行されるようにしてもよい。この場合、外部機器において上記特徴的な画像処理が施された画像データがインクジェット記録装置へ送信されることになる。このように特徴的な画像処理を行う部分がインクジェット記録装置側にあれば当該インクジェット記録装置が本発明の画像処理装置を構成し、特徴的な画像処理を行う部分が外部機器側であれば当該外部機器が本発明の画像処理装置を構成する。
【図面の簡単な説明】
【００５７】
【図１】本発明の第１実施形態に係るインクジェット記録装置の概略構成を示す模式的斜視図である。
【図２】図１の記録装置に適用されるインクジェットヘッドを吐出口側から見た模式図である。
【図３】図１の本実施形態に係るインクジェット記録装置の制御系の主要部の構成例を示すブロック図である。
【図４】第１実施形態で採用される境界つなぎ処理を説明するための概念図である。
【図５】第１実施形態で採用されるグラデーションつなぎ処理を説明するための概念図である。
【図６】記録パス数とグロス変化との関係を測定した実験結果を示すグラフである。
【図７】記録パス数とヘイズ変化との関係を測定した実験結果を示すグラフである。
【図８】第１実施形態における境界つなぎ処理およびグラデーションつなぎ処理の併用の態様を説明するための概念図である。
【図９】本発明の第２実施形態に係るインクジェット記録装置の概略構成を示す模式的斜視図である。
【図１０】第２実施形態における境界つなぎ処理およびグラデーションつなぎ処理の併用の態様を説明するための概念図である。
【図１１】第２の実施形態の変形例として、本発明がマルチパス記録に対しても有効に適用可能であることを説明するための図である。
【符号の説明】
【００５８】
１１、１１Ｋ、１１Ｃ、１１Ｍ、１１Ｙ、１１１、１１１Ｋ、１１１Ｃ、１１１Ｍ、１１１Ｙ  インクジェットヘッド
１１Ａ、１１Ｂ  ヘッドチップ
１１Ａ−１〜１１Ａ−４、１１Ｂ−１〜１１Ｂ−４、１１１−１〜１１１−４  吐出口列
８１０  使用ノズル選択回路
Ｅ  吐出口列端部領域
【図１】
2008143034.tif 000003
【図２】
2008143034.tif 000004
【図３】
2008143034.tif 000005
【図４】
2008143034.tif 000006
【図５】
2008143034.tif 000007
【図６】
2008143034.tif 000008
【図７】
2008143034.tif 000009
【図８】
2008143034.tif 000010
【図９】
2008143034.tif 000011
【図１０】
2008143034.tif 000012
【図１１】
2008143034.tif 000013